(57)【特許請求の範囲】
【請求項１】
少なくとも前後一対のニードルベッドを有し、その何れか一方または双方のニードルベッドが左右にラッキング可能な横編機を使用し、編地を編成し、編地終端部となる最終コースの編目ループに編糸を供給して編目ループを形成し、該形成された編目ループを隣接する最終コースの編目ループと重ね合わせ、少なくとも該重ね合う編目ループを係止する編針に編糸を供給して続く編目ループを形成する編成を最終コースの一端側から他端側に向かって繰り返し行うことで編地の最終コースを伏目処理方法において、
伏目処理の際に形成される編目ループを一方のニードルベッド上の編針により形成し、且つ形成される編目ループは弾性糸が前記編糸に対し、下糸となるようにプレーティング編成するとともに以下のステップを含むことを特徴とする；
ａ）伏目処理がなされる編目ループと、該編目ループに隣接する編地の最終コースの編目ループとが互いに対峙するように前後のニードルベッド上の編針に係止させるステップ、
ｂ）前記伏目処理がなされる編目ループを係止する編針に編糸および弾性糸を伏目処理がさなれる向きに供給して編目ループを形成するステップ、
ｃ）ステップｂで形成した編目ループと、これに隣接する編地の最終コースの編目ループを重ね合わせるステップ、
ｄ）編糸および弾性糸を伏目処理がなされる向きと逆向きに移動して続く伏目処理がなされる編目ループを通過させるステップ、
ｅ）上記ａ〜ｄのステップを繰り返して伏目処理を行う。
【請求項２】
伏目処理と並行して抜き糸による編成が行われ、前記ステップｂに続いてステップｂで形成された編目ループの外側に位置し、編目ループを係止しない編針に抜き糸をフックさせるとともにステップｂで形成された編目ループを越える位置まで移動させるステップ、
前記ステップｄで編糸および弾性糸を移動させる際に抜き糸も同様に移動させるステップ、を含むことを特徴とする請求項１に記載の伏目処理方法。
【発明の詳細な説明】
【０００１】
【発明の属する技術分野】
本発明は横編機を使用して編成される編地の最終コースの編目ループを伏せ目編成により解れ止め処理する方法に関する。
【０００２】
【従来の技術】
横編機で編成された編地の最終コースの編目ループを伏せ目編成して解れ止め処理を施すことで、編成完了後にの縫製作業を簡略化する伏せ目処理方法が種々検討されている。セーター等のニット衣類の前身頃部を編成する場合を例に挙げると、裾ゴム部分から編み始め胴体部分を経て肩方向へと編進められ、最終的に衿首部分を形成して編み終わる。あるいはこれとは逆に衿首など肩部分から編み始め裾部分を編み終わりとして編成される。編み終わりとなる衿首部あるいは裾部分は、例えば１×1リブのようにゴム編み組織等の伸縮性に優れた編組織により編成される場合が多い。
【０００３】
しかしながら伏せ目処理では、形成される編目ループは隣接する最終コースの編目ループに順次重ねられていくため、伏せ目処理を施した編地終端部分は、伏せ目の際に形成された編目ループが編地ウエールの配列方向（編み幅方向）に連続するチェインステッチ状となるので伸縮性に乏しくなる。これはリブ編み部分の伸縮性を殺ぐ原因となる。またこのように伏目処理された編地は、着用の際に無理に引き伸ばされ該箇所が破断する等の虞もある。
【０００４】
【発明が解決しようとする課題】
本発明は上記した従来の伏せ目処理方法が抱えていた問題に鑑み、編地の編み終わり箇所となる衿首部や裾ゴム部等の伸びが必要とされる箇所の解れ止め処理に適した横編機による伏目処理方法を提供することを目的とする。
【０００５】
また、横編機上での編成がし易く、且つ高品位な仕上がりの伏目処理方法を提供することを目的とする。
【０００６】
【発明の構成と作用効果】
本発明では、少なくとも前後一対のニードルベッドを有し、その何れか一方または双方のニードルベッドが左右にラッキング可能な横編機を使用し、編地を編成し、編地終端部となる最終コースの編目ループに編糸を供給して編目ループを形成し、該形成された編目ループを隣接する最終コースの編目ループと重ね合わせ、少なくとも該重ね合う編目ループを係止する編針に編糸を供給して続く編目ループを形成する編成を最終コースの一端側から他端側に向かって繰り返し行うことで編地の最終コースを伏目処理方法において、
伏目処理の際に形成される編目ループを一方のニードルベッド上の編針により形成し、且つ形成される編目ループは弾性糸が前記編糸に対し、下糸となるようにプレーティング編成するとともに以下のステップを含むことを特徴とする；
ａ）伏目処理がなされる編目ループと、該編目ループに隣接する編地の最終コースの編目ループとが互いに対峙するように前後のニードルベッド上の編針に係止させるステップ、
ｂ）前記伏目処理がなされる編目ループを係止する編針に編糸および弾性糸を伏目処理がさなれる向きに供給して編目ループを形成するステップ、
ｃ）ステップｂで形成した編目ループと、これに隣接する編地の最終コースの編目ループを重ね合わせるステップ、
ｄ）編糸および弾性糸を伏目処理がなされる向きと逆向きに移動して続く伏目処理がなされる編目ループを通過させるステップ、
ｅ）上記ａ〜ｄのステップを繰り返して伏目処理を行う。
【０００７】
これによれば伏目処理の際に形成される編目ループを編地の表側となるニードルベッドの針で形成される。そしてその際に弾性糸を下糸としてプレーティング編成されるので伏目処理された編地の終端部は伸縮性に富むだけでなく、下糸としてプレーティングされた弾性糸は編地の裏に隠れるので仕上がりの美しい編地となる。
【０００８】
また、伏目処理と並行して抜き糸による編成が行われ、前記ステップｂに続いてステップｂで形成された編目ループの外側に位置し、編目ループを係止しない編針に抜き糸をフックさせるとともにステップｂで形成された編目ループを越える位置まで移動させるステップ、
前記ステップｄで編糸および弾性糸を移動させる際に抜き糸も同様に移動させるステップ、を含む。
【０００９】
これによれば抜き糸は伏目処理される編目ループを係止する針の外側の針にフックされた後、この編目ループの前を横切って給糸口へ延びる。この状態で前記ステップｂで形成した編目ループと、これに隣接する編地の最終コースの編目ループが目移しにより重ね合わせられることで抜き糸の渡り糸部分が編目ループと交絡する。このため編目ループが針から解放されても抜き糸で編地が吊り下げられた状態となるので伏目処理された編地部分の自重で伏目の際に形成される編目ループが引き伸ばされることがない。更に抜き糸の給糸口に延びる渡り糸部分に編目ループを交絡させるようにしたので編地の自重やテンションに応じて抜き糸が給糸口から引き出され、その分、編地が引き下げられることとなり、これが伏目の際の編目ループの形成の程良いテンションを与え、その編目ループの形成を容易にさせる。
【００１０】
【発明の実施の形態】
次に本発明の伏せ目処理方法についての実施例を図面とともに以下詳細に説明する。実施例の編成に使用する横編機（不図示）は、前後一対のニードルベッドを有し、後ベッドが左右ラッキング可能に構成される。キャリッジは効率的な編成を行うため先行、中行、後行カムロックからなる３カムシステム機の例とするが、特にこれに限定されるものでない。図１は編成される編地１を示し、編地１は矢印方向に下から上に向かって編成され、編み終わり側にリブ編み３を行った後、終端部分に伏目処理５が施される。図２〜図４は本実施例の伏せ目処理方法の編成ステップを示し、図においてアルファベット大文字Ａ〜Ｏは前ベッドの針を、アルファベット小文字ａ〜ｏは後ベッドの針をそれぞれ示し、また図中に示した左右方向の矢印はキャリッジの進行方向を、上下方向の矢印はループの目移し方向を示す。図５は図２〜図４の編成ステップにより伏目処理される編地の編成途中のループ構造図を模試的に示したものである。なお説明の便宜上編成で使用する針数は実際の針数よりも少なくするとともに編成ステップ図において針に係止される編目ループの内、黒く塗り潰して表したものは現コースにおいて編目ループが形成されるものを示し、白抜きで示したものは置き目を示す。また編目ループの内、ヤーンフィーダ１５で形成されるものをサークルで、ヤーンフィーダ２１で形成されるものをボックスで示した。
【００１１】
ステップＳは編地１の終わり側に設けたリブ編み（１×１リブ）３の最終コース１０の編成が終了した時点のニードルベッド上の各針の編目ループの係止状態を示し、前ベッドの１本置きの針Ａ，Ｃ，Ｅ，Ｇ，Ｉ，Ｋ，Ｍと、後ベッドの針ｂ，ｄ，ｆ，ｈ，ｊ，ｌ，ｎにリブ編みの最終コース１０の編目ループが係止される。ステップ１は、続く伏目処理を行うために上記した状態にある編目ループの移し分けのステップで、前ベッドの針Ａ，Ｃ，Ｅ，Ｇ，Ｉ，Ｋ，Ｍに係止された編目ループを対向する後ベッドの針ａ，ｃ，ｅ，ｇ，ｉ，ｋ，ｍへ移す。同時に伏目処理の開始側となる後ベッドの針ｎに係止される編地右側端の編目ループ１３を前ベッドの針Ｎへ移す。
【００１２】
ステップ２から伏せ目処理の編成が開始されるが、本実施例では伏目処理の編目ループは、リブ編み編成に使用された編糸と同色の編糸（地糸）と、これに加えてゴム糸等の弾性糸によるプレーティング編成（添え編み）により形成される。
１５はフィーダの先端に２つの給糸口を備えたプレーティング用のヤーンフィーダを示し、上糸に地糸１７、下糸にゴム糸１９がセットされている。このプレーティング用のヤーンフィーダに代えて地糸用、ゴム糸用のそれぞれのヤーンフィーダを準備して地糸がゴム糸よりも先行するようにヤーンフィーダを移動させて針に給糸させてもよい。また、２１は抜き糸用のヤーンフィーダを示し、ナイロン糸などの強度があって滑りのよい編糸がセットされている。
【００１３】
本実施例では伏目処理の編成の際に抜き糸による編成も併せて行われる。伏目処理の進行に伴い、針に係止される編目ループの数は減少し、これら編目ループに編地の自重が及ぶ。ここで開示される抜き糸編成は、編地の自重で形成される編目ループが引き伸ばされることなく伏目部の編目ループの大きさを均一にする目的で使用されるだけでなく伏目の際に形成される編目ループの形成を容易にする目的で使用される。
【００１４】
まずステップ２において、先行システムでヤーンフィーダ１５を移動させ地糸１７とゴム糸１９を前ベッドの針Ｎ，Ｍに給糸する。これにより針Ｎには後ニットされたリブ編みの最終コースの編目ループ１３に続く編目ループ２３が形成され、編目ループを係止しない針Ｍには編糸がフックされる。中行システムではヤーンフィーダ２１により抜き糸２６を前ベッドの編目ループを係止しない針Ｏに供給しフックするとともに抜き糸２６が編目ループ２３と後ベッドの針ｍに係止される編目ループ２７の間を横切って針Ｌを越える位置まで移動させる。後行システムでは、先行システムで形成した編目ループ２３とフックした編目ループ２５を後ベッドの針ｍ，ｎへ移す。この編目ループ２５を後ベッドの針ｍへ移して編目ループ２７に重ねることで抜き糸２６の渡り糸部分２６ａを両編目ループ２５，２７間に挟む。
【００１５】
次にステップ３では、後ベッドを１針分左へラッキングした状態とし、先行システムで後ベッドの針ｍ，ｎに預けた編目ループ２５，２７と２３を前ベッドの針Ｌ，Ｍに移した後、次の後行システムでは編目形成を行うことなく単にヤーンフィーダ１５，２１を針Ｌ，Ｍを越えて右側へ移動する。以上の編成で編地１のウエールが１本減少したことになる。
【００１６】
次にステップ４においては、先行システムで地糸１７とゴム糸１９を前ベッドの針Ｍ，Ｌに給糸し、編目ループ２９、３１を形成し、中行システムでは抜き糸２６を前ベッドの編目ループを係止しない針Ｎに供給しフックさせる。そして後行システムでは、先行システムで形成した編目ループ２９、３１を後ベッドの針ｌ，ｍへ移す。このとき針ｌに形成される重ね目ループ（３１，３３）で抜き糸２６の渡り糸部分２６ｂを拘束する。
【００１７】
次にステップ５において、後ベッドを１針分左へラッキングさせ、先行システムで後ベッドの針ｌ，ｍに係止する編目ループ３１，３３と２９を前ベッドの針Ｋ，Ｌに移した後、後行システムでヤーンフィーダ１５、２１を針Ｌを越える位置まで移動させる。これにより編地１のウエールが更に１本減少する。
以下ステップ４、５と同様な編成を残る編地部分に対して繰り返し行い編地１のウエールを減少させていき、針Ｃまでの伏目処理が施される（途中省略）。この状態では前ベッドの針Ｅ〜Ｏの各針に抜き糸２６がフックされた状態となっている。
【００１８】
ステップ６〜１４は伏目処理編成の後半部分の編成を示す。ステップ６で先行システムでヤーンフィーダ１５を使用し地糸１７とゴム糸１９を前ベッドの針Ｃ，Ｂに給糸して編目ループ４１、４３を形成し、続く中行システムではヤーンフィーダ２１を使用して抜き糸２６を前ベッドの編目ループを係止しない針Ｄに供給しフックさせる。そして後行システムでは、先行システムで形成した編目ループ４１、４３を後ベッドの針ｂ，ｃへ移す。これにより上記と同様に後針床の針ｂに形成される重ね目ループ４３，４５で抜き糸２６の渡り糸部分２６ｎを拘束する。
【００１９】
次にステップ７で後ベッドを１針分左へラッキングさせ、先行システムで後ベッドの針ｂ，ｃに係止する編目ループ４３，４５と４１を前ベッドの針Ａ，Ｂに移し、その後、後行システムで給糸口１５，２１を針Ｂを越える位置まで移動させる。
【００２０】
ステップ８では、先行システムで後ベッドの針ａに係止されるリブ編みの最終コース１０の編目ループ１４を前ベッドの針Ａに移した後、中行システムでヤーンフィーダ１５を使って前ベッドの針Ｂ，Ａに給糸して編目ループ４７、４９を形成する。後行システムでは抜き糸２６を針Ｃへ給糸してフックさせる。ステップ８が終わった状態では、編地１の最終コース１０のほとんどが伏目処理により針から解放され、前ベッドの針Ａ，Ｂに編地側端の２つの編目ループ４９、４７が残されるだけとなっている。一方、前ベッドの針Ｃ〜Ｏにはそれぞれ抜き糸２６がフックされた状態で、針から解放された編地１の編目ループが抜き糸２６の渡り糸部分２６ａ，２６ｂ，２６ｃ…、で吊り下げられた状態となっている。
【００２１】
ステップ９では、前ベッドの針Ｂに係止される編目ループ４７を対向する後ベッドの針ｂに移し、次のステップ１０で後ベッドをラッキングしてこの編目ループ４７を前ベッドの針Ａへ移して編目ループ４９と重ねる。続くステップ１１、１２でこの重ね目ループに続く編目ループ５１、５３が形成される。
【００２２】
ステップ１３、１４では、抜き糸用のヤーンフィーダ２１により前ベッドの針Ｃ〜Ｏに対して給糸して１往復の編目コース５５、５７を編成する。次のステップ１５、１６では、ヤーンフィーダ１５に切り換えて針Ａと針Ｃ〜Ｏに給糸して１往復の捨て編みコース５９、６１を編成するとともにステップ１６ｂの後行システムにおいてヤーンフィーダを伴うことなく針Ａと針Ｃ〜Ｏの進退動作をさせて前ベッドの針Ａと針Ｃ〜Ｏに係止した編目ループを針から払い落として編地編成を終了する。この捨て編みコース５９，６１は針Ａに対してのみ行うようにしてもよい。このように伏目処理の編成に続けてステップ１３〜１６のヤーンフィーダ１５，２１によるコース編成を追加することで編機から払い落とされた編地は、抜き糸部分を編地から容易に引き抜くことができるとともに抜き糸を引き抜いた後、捨て編み部分を引っ張ることで編目ループ５３の捨て編みコース５９に続く部分が引き出されて結び目を形成してランバックを容易な方法で確実に防ぐことができる。
【００２３】
次に本発明の伏目処理編成の変形例を図６に示す。先の実施例では伏目処理の際に形成される編目ループは前ベッドの隣接する２つの針を使って形成され、また抜き糸は前ベッドの針でフックされた。この変形例は、伏目の際に形成される編目ループは前ベッドの１つの針でのみ形成される点と抜き糸が後ベッドの針でフックされる点で先の実施例と異なる以外は同じであり、使用するヤーンフィーダやカムシステムも同じものを使用する。ステップＳで終端部のリブ編み編成が行われた後、伏目処理のための移し分けがステップ１、２で行われ、後ベッドの針ｎに係止していたリブ編みの最終コースの編目ループが前ベッドの針Ｍに係止される以外は全て後ベッドの針へ係止される。
【００２４】
ステップ３で先行システムで針Ｍに編目ループを形成し、続く中行システムで後ベッドの針ｎに抜き糸をフックさせる。そして後行システムで針Ｍに係止する編目ループを後ベッドの針ｍに移して抜き糸を編目ループでくるむ。続くステップ４では先行システムで後ベッドをラッキングして針ｍに係止する編目ループを前ベッドの針Ｌへ移すとともに後行システムで各ヤーンフィーダを右側へ移動させる。上記ステップ３とステップ４により編地のウエールは１本減少する。これを基本編成として残る編地終端部に対して繰り返し行うことで伏目処理を終える。
【００２５】
なお上記の実施例では２枚ベッド横編機による方法を示したが、これに限定されるものではなく、例えば４枚ベッド横編機でも実施できるなど本発明の趣旨を逸脱しない範囲で実施可能である。
【図面の簡単な説明】
【図１】伏目処理が施された編地を示す図である。
【図２】本発明の伏目処理の実施例に係る編成ステップの前半部分を示した図である。
【図３】図２に続く伏目処理の編成ステップを示した図である。
【図４】図３に続く伏目処理の編成ステップを示した図である。
【図５】伏目処理される編地の処理途中のループ構成図を示した図である。
【図６】本発明の伏目処理の変形例に係る編成ステップを示した図である。
【符号の説明】
１…編地、３…リブ編み部分、５…伏目処理部分、１５…プレーティング用ヤーンフィーダ、１７…地糸、１９…ゴム糸、２１…抜き糸用ヤーンフィーダ、２６…抜き糸、２６ａ，２６ｂ，２６ｃ…抜き糸渡り糸部分
【図１】
0004113296.tif 000002
【図２】
0004113296.tif 000003
【図３】
0004113296.tif 000004
【図４】
0004113296.tif 000005
【図５】
0004113296.tif 000006
【図６】
0004113296.tif 000007